(57)【要約】【課題】より好適にレットオフ感を発生させることができる。【解決手段】鍵盤装置１は、複数の鍵２と、複数の鍵２の各々に対応して設けられたアクション機構３とを備える。アクション機構３は、鍵２への押鍵操作に応じて動作する伝達部材１０と、伝達部材１０の動作に応じて上下方向に動作することにより、押鍵操作された鍵２にアクション荷重を付与するハンマー部材１１と、弾性変形部４７及び弾性変形部４７を弾性変形させる押圧部４８を有するとともに、このうちのいずれか一方がハンマー部材１１に設けられ、ハンマー部材１１の動作に伴う弾性変形部４７と押圧部４８との当接により弾性変形部４７を弾性変形させることで、押鍵操作された鍵にレットオフ感を付与するレットオフ発生部４５とを備える。【選択図】図２
2019020453.tif 000002
【特許請求の範囲】
【請求項１】
複数の鍵と、
前記複数の鍵の各々に対応して設けられたアクション機構と、
を備え、
前記アクション機構は、
前記鍵への押鍵操作に応じて動作する伝達部材と、
前記伝達部材の動作に応じて動作することにより、前記押鍵操作された鍵に荷重を付与するハンマー部材と、
弾性変形部及び第１当接部を有するとともに、このうちのいずれか一方が前記ハンマー部材に設けられ、前記ハンマー部材の動作に伴う前記第１当接部と前記弾性変形部との当接により前記弾性変形部を弾性変形させることで、前記押鍵操作された鍵にレットオフ感を付与するレットオフ発生部と、
を備えることを特徴とする鍵盤装置。
【請求項２】
前記弾性変形部及び前記第１当接部のうちの他方が前記伝達部材に設けられていることを特徴とする請求項１に記載の鍵盤装置。
【請求項３】
前記弾性変形部は、前記第１当接部に対し、前記ハンマー部材の動作方向と直交する方向に変位可能に設けられ、前記ハンマー部材の前記動作方向への移動を案内するように構成されていることを特徴とする請求項１又は請求項２に記載の鍵盤装置。
【請求項４】
前記弾性変形部は、前記第１当接部の両側を挟む位置に設けられ、前記弾性変形部に対する前記第１当接部の相対移動を案内するように構成されていることを特徴とする請求項１から請求項３のいずれか一項に記載の鍵盤装置。
【請求項５】
前記第１当接部は、前記第１当接部が設けられた前記ハンマー部材又は前記伝達部材の両側に設けられていることを特徴とする請求項４に記載の鍵盤装置。
【請求項６】
前記伝達部材は、第１の回転軸回りに回転可能に支持され、前記押鍵操作された鍵に押されることにより前記第１の回転軸を中心に回転し、
前記ハンマー部材は、第２の回転軸回りに回転可能に支持され、前記伝達部材の回転に伴って前記伝達部材に押されることにより前記第２の回転軸を中心に回転することを特徴とする請求項１から請求項５のいずれか一項に記載の鍵盤装置。
【請求項７】
前記弾性変形部は、前記弾性変形部が設けられる前記伝達部材又は前記ハンマー部材と一体に形成されていることを特徴とする請求項１から請求項６のいずれか一項に記載の鍵盤装置。
【請求項８】
前記弾性変形部は、前記弾性変形部が設けられる前記伝達部材又は前記ハンマー部材とは別部材であることを特徴とする請求項１から請求項６のいずれか一項に記載の鍵盤装置。
【請求項９】
前記弾性変形部は、前記第１当接部と当接する第２当接部を先端に有し、
前記第２当接部は、前記第１当接部と当接する面のうち、前記第１当接部が相対移動する方向の両端に、Ｒ部又は面取り部を有することを特徴とする請求項１から請求項８のいずれか一項に記載の鍵盤装置。
【請求項１０】
前記弾性変形部と前記第１当接部は、前記押鍵操作に応じて前記伝達部材と前記ハンマー部材との距離が離れていく部分にそれぞれ設けられ、前記伝達部材と前記ハンマー部材との距離が第１の距離以下のときは前記弾性変形部と前記第１当接部とが当接せず、前記伝達部材と前記ハンマー部材との距離が前記第１の距離を越えたときに前記弾性変形部と前記第１当接部とが当接することを特徴とする請求項１から請求項９のいずれか一項に記載の鍵盤装置。
【請求項１１】
前記レットオフ発生部は、
前記押鍵操作に応じて前記伝達部材と前記ハンマー部材との距離が前記第１の距離を越え、前記弾性変形部と前記第１当接部とが当接して前記弾性変形部が弾性変形する際に、前記伝達部材と前記ハンマー部材との距離が離れる方向に対して反力を与え、
その後の離鍵動作に応じて前記伝達部材と前記ハンマー部材との距離が前記第１の距離以下に戻り、前記弾性変形部と前記第１当接部とが当接しなくなって前記弾性変形部の弾性変形が解除される際には、前記伝達部材と前記ハンマー部材との距離が縮まる方向に対する反力を与えないことを特徴とする請求項１０に記載の鍵盤装置。
【発明の詳細な説明】
【技術分野】
【０００１】
本発明は、鍵盤装置に関する。
【背景技術】
【０００２】
アコースティックの鍵盤楽器においては、鍵を押し下げたときに鍵と連動して動作するハンマーが打弦することで音を発生させるが、鍵盤を徐々に押し下げていくと、ハンマーが打弦する位置において荷重が大きく上昇した後に荷重が急激に下がる（抜ける）という特有のクリック感（これを「レットオフ」という）を生じ、演奏者の指に伝わる。
電子的に鍵盤楽器の音を再現する電子鍵盤楽器においても、演奏者があたかもアコースティックの鍵盤楽器を演奏しているかのような感覚で演奏できるように、こうした独特なクリック感（レットオフ感）を再現する工夫が行われている。
【０００３】
例えば、特許文献１に記載の技術では、グランドピアノタイプのアクション機構を備える電子鍵盤楽器において、ハンマーを支持する固定レールに弾性部を設けるとともに、鍵への押鍵操作によって回転するウィペンに、弾性部と当接して変形させる当接部を設けている。そして、押鍵操作によるウィペンの回転に伴って、弾性部が変形しつつ当接部を乗り越えて移動する際のクリック感を発生させ、このクリック感を利用してレットオフ感を再現している。
【先行技術文献】
【特許文献】
【０００４】
【特許文献１】特開２０１７−９８１１号公報
【発明の概要】
【発明が解決しようとする課題】
【０００５】
しかしながら、上記特許文献１に記載の技術では、固定レールに設けられた弾性部をウィペンの動きにより変形させることによりレットオフ感を再現するものであるが、まだまだ改善の余地があり、より好適にレットオフ感を発生させることができる構造が望まれていた。
【０００６】
本発明は、以上のような事情に鑑みてなされたものであり、より好適にレットオフ感を発生させることができる鍵盤装置を提供することを目的とするものである。
【課題を解決するための手段】
【０００７】
上記目的を達成するために、本発明に係る鍵盤装置は、
複数の鍵と、
前記複数の鍵の各々に対応して設けられたアクション機構と、
を備え、
前記アクション機構は、
前記鍵への押鍵操作に応じて動作する伝達部材と、
前記伝達部材の動作に応じて動作することにより、前記押鍵操作された鍵に荷重を付与するハンマー部材と、
弾性変形部及び第１当接部を有するとともに、このうちのいずれか一方が前記ハンマー部材に設けられ、前記ハンマー部材の動作に伴う前記第１当接部と前記弾性変形部との当接により前記弾性変形部を弾性変形させることで、前記押鍵操作された鍵にレットオフ感を付与するレットオフ発生部と、
を備えることを特徴とする。
【発明の効果】
【０００８】
本発明によれば、より好適にレットオフ感を発生させることができる鍵盤装置を提供することができる。
【図面の簡単な説明】
【０００９】
【図１】第１の実施形態における電子鍵盤楽器の平面図である。
【図２】図１のＡ−Ａ線での鍵盤装置の断面図であって、（ａ）が初期状態のものであり、（ｂ）が押鍵操作された状態のものである。
【図３】第１の実施形態におけるレットオフ発生部の断面図である。
【図４】弾性フック部の形状を説明するための図である。
【図５】第１の実施形態における鍵盤装置の鍵ストローク−押鍵荷重特性（レットオフ特性）の一例を示すグラフである。
【図６】第１の実施形態におけるレットオフ発生部の変形例を示す断面図である。
【図７】第２の実施形態における鍵盤装置の断面図である。
【図８】第２の実施形態におけるレットオフ発生部の断面図である。
【図９】第２の実施形態におけるレットオフ発生部の変形例を示す断面図である。
【図１０】（ａ）は、第３の実施形態における鍵盤装置の断面図であり、（ｂ）は、その変形例の断面図である。
【図１１】第４の実施形態における鍵盤装置の断面図であって、（ａ）が初期状態のものであり、（ｂ）が押鍵操作された状態のものである。
【図１２】弾性変形部の変形例を示す図であって、（ａ）が伝達部材と別体のものであり、（ｂ）がハンマー部材と別体のものである。
【発明を実施するための形態】
【００１０】
［第１の実施形態］
以下、図１〜図６を参照して、本発明に係る鍵盤装置の第１の実施形態について説明する。
なお、以下に述べる実施形態には、本発明を実施するために技術的に好ましい種々の限定が付されているが、本発明の範囲を以下の実施形態及び図示例に限定するものではない。
【００１１】
図１は、本実施形態における鍵盤装置１を備える電子鍵盤楽器１００の平面図であり、図２は、図１のＡ−Ａ線での鍵盤装置１の断面図であって、（ａ）が初期状態のものであり、（ｂ）が押鍵操作された状態のものである。また、図３は、後述のレットオフ発生部４５の断面図であり、図４は、後述のレットオフ発生部４５が備える弾性フック部４７ａの形状を説明するための図であり、図５は、鍵盤装置１の鍵ストローク−押鍵荷重特性（レットオフ特性）の一例を示すグラフであり、図６は、レットオフ発生部４５の変形例を示す断面図である。
図１及び図２（ａ）に示すように、本実施形態における電子鍵盤楽器１００は、楽器ケース１０１と、楽器ケース１０１内に収容された鍵盤装置１とを備えている。
鍵盤装置１は、電子鍵盤楽器１００の左右方向に並列に配列された複数の鍵２と、これら複数の鍵２の押鍵操作に応じて当該複数の鍵２それぞれにアクション荷重を付与するアクション機構３とを備えている。
【００１２】
複数の鍵２は、白鍵２ａ及び黒鍵２ｂを有しており、それぞれ電子鍵盤楽器１００の前後方向に延在するように配置されている。これら複数の鍵２は、前後方向における略中間部がそれぞれバランスピン４ａ、４ｂによって上下方向に回転可能に支持され、この状態でベース板５上に並列に配列されている。
ベース板５上には、各鍵２の前端部の下面が接離可能に当接するクッション材６ａ、６ｂが鍵２の配列方向に沿って設けられている。また、このベース板５上には、各鍵２の後端部の下面がそれぞれ接離可能に当接するクッション材７が鍵２の配列方向に沿って設けられている。これにより、各鍵２は、前部側のクッション材６ａ、６ｂと後部側のクッション材７とによって、各鍵ストロークが設定されている。さらに、このベース板５上には、各鍵２の横振れするのを防ぐためのガイドピン８ａ、８ｂが起立して設けられている。
【００１３】
アクション機構３は、複数の鍵２の押鍵操作に応じてそれぞれ上下方向に回転する複数の伝達部材１０と、これら複数の伝達部材１０の各回転動作に応じてそれぞれ上下方向に回転して複数の鍵２それぞれにアクション荷重を付与する複数のハンマー部材１１とを備えている。複数の鍵２は、複数の伝達部材１０の各重量によって、バランスピン４ａ、４ｂを中心に反時計回りに回転して、各鍵２の前端部が初期位置に押し上げられることにより、各鍵２に初期荷重が付与されるように構成されている。
【００１４】
また、アクション機構３は、複数の伝達部材１０それぞれを回転自在に保持する複数の伝達保持部材１２と、複数のハンマー部材１１それぞれを回転自在に保持する複数のハンマー保持部材１３とを備えている。
このうち複数の伝達保持部材１２は、複数の鍵２の配列方向に沿って配置された伝達支持レール１４上に取り付けられている。一方、複数のハンマー保持部材１３は、複数の鍵２の配列方向に沿って配置されたハンマー支持レール１５上に取り付けられている。これら伝達支持レール１４及びハンマー支持レール１５は、複数の支持部材１６に支持された状態で、複数の鍵２の上方に配置されている。
【００１５】
複数の支持部材１６は、複数の鍵２の配列方向の全長における予め定められた複数箇所（例えば５箇所）にそれぞれ位置した状態で、ベース板５上に起立して取り付けられている。
この支持部材１６は、ＡＢＳ樹脂などの硬質の合成樹脂からなり、ベース板５上に取り付けられる支持取付部１６ａと、この支持取付部１６ａ上に一体に形成されたブリッジ部１６ｂとを有している。支持部材１６は、支持取付部１６ａがベース板５上に取り付けられることにより、ブリッジ部１６ｂが鍵２の上方に突出した状態で、複数の鍵２の後部間に配置されるように構成されている。
【００１６】
また、支持取付部１６ａの後側上部には、伝達支持レール１４を支持する後側レール支持部１６ｃが設けられている。ブリッジ部１６ｂの前側上部には、ハンマー支持レール１５を支持する前側レール支持部１６ｄが設けられている。また、ブリッジ部１６ｂの後側上部には、ストッパレール支持部１６ｅが設けられている。さらに、ブリッジ部１６ｂの上部には、基板レール支持部１６ｆが設けられている。
【００１７】
伝達支持レール１４は、帯板の両側部をその長手方向に沿って下側に向けて折り曲げた形状に形成され、複数の鍵２の配列方向の全長に亘る長さで形成されている。この伝達支持レール１４は、複数の鍵２の配列方向における所定箇所が複数の支持部材１６の各後側レール支持部１６ｃ上に取り付けられるように構成されている。
【００１８】
この伝達支持レール１４上には、複数の伝達保持部材１２が複数の鍵２の配列方向に沿って取り付けられているとともに、複数のストッパ支持部１７が複数の支持部材１６に対応して取り付けられている。複数のストッパ支持部１７は、金属板からなり、複数の支持部材１６に対応する伝達支持レール１４上の５箇所に、複数の伝達保持部材１２の上方に突出した状態で取り付けられている。
【００１９】
伝達保持部材１２は、ＡＢＳ樹脂などの硬質の合成樹脂からなり、伝達支持レール１４上に取り付けられる伝達保持本体部１８と、複数の伝達部材１０それぞれが回転自在に取り付けられる複数の軸支持部１９とを有している。
複数の軸支持部１９は、伝達保持本体部１８に例えば１０個程度の各鍵２に対応した状態で、複数の鍵２の配列方向に沿って一体に形成されている。
この軸支持部１９は、伝達保持本体部１８の後端部に各鍵２と対応して形成された一対のガイド壁と、これら一対のガイド壁間に形成された伝達保持軸２０とを有している。一対のガイド壁は、伝達部材１０の後述する伝達嵌合部２２を両側から摺動可能に挟んだ状態で、伝達部材１０の伝達嵌合部２２を回転可能にガイドするガイド部を構成している。
【００２０】
伝達部材１０は、ＡＢＳ樹脂などの硬質の合成樹脂からなり、鍵２の押鍵操作に応じて上下方向に回転してハンマー部材１１を上下方向に回転させる伝達本体部２１と、この伝達本体部２１に一体に形成されて伝達保持部材１２の伝達保持軸２０に回転自在に取り付けられる伝達嵌合部２２とを有している。
【００２１】
このうち、伝達本体部２１は、厚みの薄い縦板部２１ａと、この縦板部２１ａの外周部および両側面に格子状に形成された複数のリブ部２１ｂとを有し、これらがワッフル形状に形成されている。この伝達本体部２１は、縦板部２１ａの形状及び複数のリブ部２１ｂの形成密度によって、伝達部材１０の重量が調整されるように構成されている。
また、伝達本体部２１は、その前端上部が後端上部よりも高く形成され、これにより上辺部が後下がりに傾斜するように形成されている。この伝達本体部２１の前端上部には、連動支持部２２ｄが上方に向けて突出して設けられている。この連動支持部２２ｄは、ハンマー部材１１に当接することなく、ハンマー部材１１の側面に沿って上下方向に移動するように構成されている。また、連動支持部２２ｄの側面には、後述する連動制御部３１の連動突起部３２が設けられている。
【００２２】
一方、伝達嵌合部２２は、全体が逆Ｃ字形状に形成され、伝達本体部２１の後端部に後方に突出して形成されている。すなわち、この伝達嵌合部２２は、複数の鍵２の配列方向の厚みが軸支持部１９の一対のガイド壁間に設けられた伝達保持軸２０と略同じ長さに形成されて、一対のガイド壁間に摺動可能に挿入されるように構成されている。
また、伝達嵌合部２２は、その中心部に伝達保持部材１２の伝達保持軸２０が嵌合する嵌合孔２２ａが形成され、この嵌合孔２２ａの周囲における後部に伝達保持軸２０が挿脱可能に挿入する挿入口２２ｂが形成されている。そして、この挿入口２２ｂを通して伝達保持軸２０が嵌合孔２２ａ内に挿入されることにより、伝達嵌合部２２が伝達保持軸２０に回転可能に取り付けられる。
【００２３】
また、伝達本体部２１の前端下部には、伝達フェルト２３が設けられている。この伝達フェルト２３は、鍵２の後側上部に設けられたキャプスタン２４が下側から当接するように構成されている。これにより、伝達部材１０は、鍵２が押鍵された際に、伝達フェルト２３に下側から当接する鍵２のキャプスタン２４によって押し上げられて、伝達保持軸２０を中心に図２における反時計回りに回転するように構成されている。
【００２４】
ハンマー支持レール１５は、伝達支持レール１４と同様に、帯板の両側部をその長手方向に沿って下側に向けて折り曲げた形状に形成され、複数の鍵２の配列方向の全長に亘る長さに形成されている。このハンマー支持レール１５は、複数の鍵２の配列方向における所定箇所が複数の支持部材１６の各前側レール支持部１６ｄ上に取り付けられるように構成されている。このハンマー支持レール１５上には、複数のハンマー保持部材１３が複数の鍵２の配列方向に沿って取り付けられている。
【００２５】
ハンマー保持部材１３は、ＡＢＳ樹脂などの硬質の合成樹脂からなり、上方が開放されたほぼ箱形状のレール状をなす取付本体部２５と、この取付本体部２５の後端部に複数の鍵２の配列方向に沿って一体に形成された複数の軸支持部２６とを有している。
複数の軸支持部２６は、例えば１０個程度の各鍵２に対した状態で複数の鍵２の配列方向に沿って配列されている。この軸支持部２６は、ハンマー部材１１が回転自在に取り付けられて、ハンマー部材１１の横振れを防ぐように構成されている。
また、軸支持部２６は、取付本体部２５の後端部に各伝達部材１０と対応して形成された一対のガイド壁と、これら一対のガイド壁間に形成されたハンマー保持軸２７とを有している。一対のガイド壁は、ハンマー部材１１の後述するハンマー嵌合部２８を両側から摺動可能に挟んだ状態で、ハンマー部材１１のハンマー嵌合部２８を回転可能にガイドするガイド部を構成している。
【００２６】
ハンマー部材１１は、ＡＢＳ樹脂などの硬質の合成樹脂からなり、回転中心部であるハンマー嵌合部２８と、予め定められた重量を有するハンマー部２９と、ハンマー嵌合部２８とハンマー部２９とを連結するハンマーアーム３０とを備え、これらが一体に形成された構成になっている。
【００２７】
ハンマー部２９は、ハンマーアーム３０の後端部に設けられている。このハンマー部２９は、杓子形状の縦板部２９ａを有し、その外周部及びその両側面に複数のリブ部２９ｂが一体に形成された構成になっており、縦板部２９ａの形状及び複数のリブ部２９ｂの形成密度によって、重量が調整されるように構成されている。
【００２８】
ハンマー嵌合部２８は、伝達嵌合部２２と同様に、全体がＣ字形状に形成され、ハンマーアーム３０の前端部に前方に突出して形成されている。このハンマー嵌合部２８は、複数の鍵２の配列方向の厚みが軸支持部２６の一対のガイド壁間に設けられたハンマー保持軸２７とほぼ同じ長さに形成されて、一対のガイド壁間に摺動可能に挿入されるように構成されている。
また、ハンマー嵌合部２８は、その中心にハンマー保持部材１３のハンマー保持軸２７が嵌合する嵌合孔２８ａが形成され、この嵌合孔２８ａの周囲における前部にハンマー保持軸２７が挿脱可能に挿入する挿入口２８ｂが形成されている。そして、この挿入口２８ｂを通してハンマー保持軸２７が嵌合孔２８ａに挿入されることにより、ハンマー嵌合部２８がハンマー保持軸２７に回転可能に取り付けられる。
【００２９】
ハンマーアーム３０は、前後方向の長さが伝達部材１０と略同じ長さの横板部３０ａを有し、この横板部３０ａの上下辺部及び両側面に複数の補強リブ部３０ｂが一体に形成された構成になっている。このハンマーアーム３０の前端部には、ハンマー嵌合部２８が一体に形成されている。
【００３０】
また、ハンマーアーム３０の前端下部には、連動取付部３０ｃが下方に向けて突出して設けられている。この連動取付部３０ｃは、伝達部材１０の連動支持部２２ｄの側面に対面し、この状態で連動支持部２２ｄの側面に沿って上下方向に移動するように構成されている。また、連動取付部３０ｃには、後述する連動制御部３１の連動突起部３２をガイドするガイド孔３３が設けられている。
【００３１】
すなわち、連動制御部３１は、伝達部材１０の連動支持部２２ｄに設けられた連動突起部３２と、ハンマー部材１１の連動取付部３０ｃに設けられて連動突起部３２をガイドするガイド孔３３とを有している。これにより、連動制御部３１は、押鍵操作された鍵２に対応する伝達部材１０の回転動作に伴うハンマー部材１１の回転動作を、ガイド孔３３に対する連動突起部３２の相対的な動作によって制御するように構成されている。
【００３２】
連動制御部３１の連動突起部３２は、丸棒状の突起本体３２ａと、この突起本体３２ａの外周に設けられた円筒状の緩衝部３２ｂとを備えている。
突起本体３２ａは、伝達部材１０の伝達本体部２１に設けられた連動支持部２２ｄの前端上部に、複数の鍵２の配列方向に向けて突出した状態で、一体に形成されている。この突起本体３２ａは、ハンマー部材１１の連動取付部３０ｃに設けられたガイド孔３３に緩衝部３２ｂと共に移動可能に挿入するように構成されている。
緩衝部３２ｂは、ウレタン樹脂、シリコーン樹脂などの弾力性を有する合成樹脂からなり、ほぼ円筒状に形成され、ガイド孔３３の内周面に接触して摺動するように構成されている。
【００３３】
一方、連動制御部３１のガイド孔３３は、連動突起部３２が移動可能に挿入する長孔であり、ハンマー部材１１のハンマーアーム３０の前端下部に設けられた連動取付部３０ｃに設けられている。このガイド孔３３は、伝達部材１０が伝達保持軸２０を中心に回転動作し、かつハンマー部材１１がハンマー保持軸２７を中心に回転動作する際における、連動突起部３２の相対的な動作軌跡（つまり移動軌跡）に沿って長く形成された長孔である。
より詳しくは、ガイド孔３３は、その長手方向の中心線が、後下がりに傾斜して設けられている。また、ガイド孔３３は、その長手方向と直交する方向の長さ（孔幅）が、連動突起部３２の外径つまり緩衝部３２ｂの外径とほぼ同じ大きさで、その長手方向の長さが連動突起部３２の外径の１．５倍〜２倍程度の長さに形成されている。
このガイド孔３３は、その内部に連動突起部３２が挿入された状態で移動する際に、当該ガイド孔３３の内周面に連動突起部３２の緩衝部３２ｂが弾力的に接触して移動することにより、ハンマー部材１１の連動取付部３０ｃが伝達部材１０の連動支持部２２ｄに直接接触しないように構成されている。
【００３４】
これにより、連動制御部３１は、押鍵操作された鍵２に対応する伝達部材１０が回転動作し、この伝達部材１０の回転動作に伴ってハンマー部材１１を連動させて回転動作させる際に、そのハンマー部材１１の回転動作を、ガイド孔３３に対する連動突起部３２の相対的な動作によって制御するように構成されている。
すなわち、連動制御部３１は、鍵２が押鍵操作されて伝達部材１０が伝達保持軸２０を中心に反時計回りに回転する際に、伝達部材１０の回転に伴って連動突起部３２がガイド孔３３の前端上部に当接してガイド孔３３の前端上部を押し上げることにより、ハンマー保持軸２７を中心にハンマー部材１１を時計回りに回転させる。
【００３５】
また、連動制御部３１は、ハンマー部材１１が押し上げられる際に、連動突起部３２がガイド孔３３に沿って移動可能な状態になることにより、伝達部材１０の回転速度とハンマー部材１１の回転速度とが同じであっても、また異なっていても、伝達部材１０とハンマー部材１１とを連動させて回転動作させるように構成されている。
【００３６】
また、連動制御部３１は、押鍵操作された鍵２が初期位置に戻る際に、連動突起部３２がガイド孔３３に対して相対的に移動可能な状態であることにより、伝達部材１０がその自重によって伝達保持軸２０を中心に時計回りに回転するとともに、ハンマー部材１１がその自重によってハンマー保持軸２７を中心に反時計回りに回転するように構成されている。
さらに、連動制御部３１は、伝達部材１０及びハンマー部材１１が初期位置に戻った際に、連動突起部３２がガイド孔３３の前端上部に向けて移動することにより、連動突起部３２がガイド孔３３の前端上部に当接または接近するように構成されている。
【００３７】
ところで、ハンマー部材１１は、ハンマーアーム３０後端下部が下限ストッパ３５に上方から当接することにより、初期位置である下限位置に規制されるように構成されている。下限ストッパ３５は、伝達支持レール１４上に設けられた複数のストッパ支持部１７に支持された下限ストッパレール３６上に取り付けられている。
これにより、ハンマー部材１１は、その自重でハンマー保持軸２７を中心に反時計回りに回転した際に、ハンマーアーム３０の後端下部が下限ストッパ３５に上方から当接することにより、後下がりに傾斜した状態で、初期位置に位置規制される。
【００３８】
また、ハンマー部材１１は、鍵２が押鍵操作された際に、ハンマーアーム３０の後端上部が上限ストッパ３７に下方から当接することにより、上限位置が規制されるように構成されている。上限ストッパ３７は、複数の支持部材１６の各ストッパレール支持部１６ｅに取り付けられた上限ストッパレール３８の下面に取り付けられている。
これにより、ハンマー部材１１は、ハンマーアーム３０がハンマー保持部材１３のハンマー保持軸２７を中心に時計回りに回転した際に、ハンマーアーム３０の後端上部が上限ストッパ３７に下方から当接することにより、上限位置が規制される。
【００３９】
さらに、ハンマーアーム３０の前端上部には、スイッチ押圧部３９が形成されている。このスイッチ押圧部３９の上方には、スイッチ基板４０が一対の基板支持レール４１によって配置されている。
これら一対の基板支持レール４１は、それぞれ断面がＬ字形状に形成された長板であり、複数の鍵２の配列方向の全長に亘る長さに形成されている。これら一対の基板支持レール４１は、その各水平部が複数の支持部材１６の各基板レール支持部１６ｆ上に所定間隔離れた状態で取り付けられている。
【００４０】
スイッチ基板４０は、複数の鍵２の配列方向に複数に分割されており（図１参照）、例えば２０個程度の鍵２に対応する長さで一対の基板支持レール４１上に取り付けられている。
各スイッチ基板４０の下面には、ゴムスイッチ４２設けられている。このゴムスイッチ４２の内部には、スイッチ基板４０の下面に設けられた固定接点（図示せず）に接離可能に接触する可動接点（図示せず）が、複数のハンマーアーム３０に対応して設けられている。これにより、ゴムスイッチ４２は、ハンマー部材１１がハンマー保持部材１３のハンマー保持軸２７を中心に時計回りに回転して、ハンマーアーム３０のスイッチ押圧部３９によって下側から押圧された際に、可動接点が固定接点に接触するように構成されている。
また、スイッチ基板４０上には、図示しない音源部が設けられている。この音源部は、鍵２の押鍵強さに応じて出力されたゴムスイッチ４２のスイッチ信号に応答して楽音を生成し、この楽音信号に基づいてスピーカ（図示せず）から楽音を放音させる。
【００４１】
また、アクション機構３は、ハンマー部材１１が上限位置に到達する前に、押鍵操作されている鍵２にクリック感を発生させ、このクリック感をレットオフ感としてユーザに付与するレットオフ発生部４５を備えている。
このレットオフ発生部４５は、伝達部材１０の伝達本体部２１に設けられた弾性変形部４７と、ハンマー部材１１のハンマーアーム３０に設けられて伝達部材１０及びハンマー部材１１の回転動作に伴って弾性変形部４７を弾性変形させる押圧部４８とを備えている。
【００４２】
このうち、弾性変形部４７は、図２及び図３（ａ）に示すように、伝達本体部２１の上面のうち、前端上部の連動支持部２２ｄよりもやや後側に、当該上面の傾斜に対して直交するように上方へ立設されている。また、弾性変形部４７は、左右方向に弾性変形可能な厚さで伝達本体部２１に一体に形成されており、伝達本体部２１の上面のうち、当該伝達本体部２１の厚さ方向（左右方向）の一端（図３における左端）に設けられている。
この弾性変形部４７は、その先端（上端）に一体に形成された弾性フック部４７ａを有している。弾性フック部４７ａは、ハンマー部材１１の押圧部４８が当接する部分であり、伝達本体部２１の厚さ方向の内側向き（図３における右側向き）に突出した突起部である。この弾性フック部４７ａは、鍵２が押鍵操作されていない初期状態において、ハンマーアーム３０の横板部３０ａと接触することなく、当該ハンマーアーム３０の左右方向に位置している。
弾性フック部４７ａのうち、伝達本体部２１の厚さ方向内側の突起面は、図４（ａ）に示すように、上端から下側に向けて次第に高く突出する傾斜面状に形成されるとともに、下端がＲ部に形成されている。ただし、この突起面は、押圧部４８と上下に当接して伝達本体部２１の厚さ方向の外側へ弾性変形部４７を弾性変形させる形状に形成されていればよく、所望のレットオフ特性に応じたものとしてよい。具体的に、この突起面は、例えば、図４（ｂ）に示すように、少なくとも上下両端がＲ部とされた側面視半円状（又は半球状）に形成されていてもよいし、図４（ｃ）に示すように、上下両端に面取り部（テーパ部）を有する形状に形成されていてもよいし、図４（ｄ）に示すように、上下両端の面取り部（テーパ部）を直接繋げた側面視三角形状に形成されていてもよい。
【００４３】
一方、押圧部４８は、本発明に係る第１当接部であり、図２及び図３（ａ）に示すように、ハンマーアーム３０のうち、前端上部の連動取付部３０ｃよりもやや後側の部分を下方に突出させた形状に形成されている。この押圧部４８には、ハンマーアーム３０の他の部分と同様に、下辺に補強リブ部３０ｂが設けられており、この下辺の補強リブ部３０ｂが、本発明に係る第２当接部であり、弾性変形部４７の弾性フック部４７ａと当接する当接部４８ａとなっている。
この押圧部４８は、図２（ａ），（ｂ）及び図３（ａ）〜（ｃ）に示すように、伝達部材１０が伝達保持軸２０を中心に回転し、ハンマー部材１１がハンマー保持軸２７を中心に回転した際に、当接部４８ａが弾性フック部４７ａに当接して弾性変形部４７を弾性変形させるように構成されている。
すなわち、押圧部４８は、伝達部材１０及びハンマー部材１１が回転して当接部４８ａが弾性フック部４７ａの下端に当接すると、弾性変形部４７を伝達本体部２１の厚さ方向外側（図３における左側）に弾性変形させて、弾性フック部４７ａに当接部４８ａを乗り越えさせるように構成されている。
【００４４】
換言すれば、弾性変形部４７と押圧部４８は、押鍵操作に応じて伝達部材１０とハンマー部材１１との距離が離れていく部分にそれぞれ設けられている。そして、これら弾性変形部４７と押圧部４８とは、伝達部材１０とハンマー部材１１との距離が所定の第１の距離以下のときには当接せず、伝達部材１０とハンマー部材１１との距離が第１の距離を越えたときに当接するように構成されている。
これにより、レットオフ発生部４５は、鍵２の押鍵操作によって伝達部材１０が押し上げられて伝達保持軸２０を中心に回転して、ハンマー部材１１が上限位置に到達する前に、ハンマー部材１１に設けられた押圧部４８の当接部４８ａが伝達部材１０の弾性変形部４７の弾性フック部４７ａに下側から当接することで、鍵荷重を重くするように構成されている。
また、このレットオフ発生部４５は、押圧部４８の当接部４８ａが弾性変形部４７の弾性フック部４７ａの下端に当接した際に、当接部４８ａが弾性変形部４７を弾性変形させて弾性フック部４７ａに当接部４８ａを乗り越えさせることにより、伝達部材１０にクリック感を発生させて、鍵荷重が急激に軽くなるレットオフ感を鍵２に付与するように構成されている。
さらに、レットオフ発生部４５では、弾性変形部４７が押圧部４８と当接して弾性変形（変位）することにより、ハンマー部材１１の上下方向への移動がガイドされるようになっている。
【００４５】
続いて、鍵盤装置１の作用について説明する。
まず、鍵２が押鍵操作されていない初期状態について説明する。
図２（ａ）に示すように、鍵盤装置１では、鍵２が押鍵操作されていない初期状態のときに、伝達部材１０がその自重で伝達保持部材１２の伝達保持軸２０を中心に図２における時計回りに回転して、伝達本体部２１の下面に設けられた伝達フェルト２３が鍵２のキャプスタン２４に上方から当接する。
【００４６】
このときには、伝達部材１０の重量、つまり伝達本体部２１の縦板部２１ａの形状や厚み及び複数のリブ部２１ｂの形成密度によって設定されている重量が鍵２のキャプスタン２４に上方から加わる。これにより、鍵２が伝達部材１０によって押されてバランスピン４ａ、４ｂを中心に図２における反時計回りに回転し、鍵２の後端部がクッション材７に当接して、鍵２が初期位置に規制されると共に、伝達部材１０も初期位置に規制されている。
【００４７】
また、このときには、ハンマー部材１１がその自重でハンマー保持部材１３のハンマー保持軸２７を中心に図２における反時計回りに回転して、ハンマーアーム３０が下限ストッパ３５に当接して（図２（ａ）では完全には当接していない）、下限位置に位置規制されている。この状態では、ハンマー部材１１のスイッチ押圧部３９がスイッチ基板４０のゴムスイッチ４２から下側に離れた位置に配置される。このため、ゴムスイッチ４２は、可動接点が固定接点から離れることにより、オフ状態になっている。
【００４８】
次に、初期状態の鍵２を押鍵操作して演奏する場合について説明する。
この場合には、鍵２が押鍵操作されると、図２（ｂ）に示すように、鍵２がバランスピン４ａ、４ｂを中心に図２における時計回りに回転し、鍵２のキャプスタン２４が伝達部材１０を押し上げる。このときには、伝達部材１０の重量が鍵２に初期荷重として付与される。
【００４９】
これにより、伝達部材１０がその自重に抗して伝達保持部材１２の伝達保持軸２０を中心に図２における反時計回りに回転する。すると、伝達部材１０の回転動作が連動制御部３１によってハンマー部材１１に伝達され、ハンマー部材１１がその自重に抗して押上げられる。すなわち、伝達部材１０が図２における反時計回りに回転すると、この伝達部材１０の回転に伴って連動突起部３２がガイド孔３３の前端上部に当接してガイド孔３３の前端上部を押し上げる。
【００５０】
そして、ハンマー部材１１がハンマー保持部材１３のハンマー保持軸２７を中心に図２における時計回りに回転して、鍵２にアクション荷重を付与する。すなわち、ハンマー部材１１がハンマー保持軸２７を中心に図２における時計回りに回転する際には、ハンマー部材１１の慣性モーメントによって鍵２にアクション荷重が付与される。このときには、図５にＦ１で示すように、鍵荷重が急に重くなる。
【００５１】
このようにハンマー部材１１がハンマー保持軸２７を中心に時計回りに回転すると、ハンマーアーム３０のスイッチ押圧部３９がスイッチ基板４０に設けられたゴムスイッチ４２を下側から押圧する。これにより、ゴムスイッチ４２が弾性変形して、内部の可動接点が固定接点に接触する。このときには、図５にＦ２で示すように、鍵荷重が再び重くなる。
そして、ゴムスイッチ４２内の可動接点が固定接点に接触すると、押鍵された鍵２に応じたスイッチ信号が音源部に供給され、この音源部で楽音データが生成されて、この生成された楽音データに基づいてスピーカから楽音が発生する。
【００５２】
それから、伝達部材１０が伝達保持軸２０を中心にさらに回転するとともに、ハンマー部材１１がハンマー保持軸２７を中心にさらに回転すると、レットオフ発生部４５によって押鍵操作されている鍵２を介してレットオフ感がユーザに付与される。
すなわち、鍵２の押鍵操作によって伝達部材１０及びハンマー部材１１が回転して、ハンマー部材１１が上限位置に到達する前に、図３（ｂ）に示すように、ハンマー部材１１の押圧部４８の当接部４８ａが伝達部材１０の弾性変形部４７の弾性フック部４７ａに下側から当接する。
【００５３】
この状態で、伝達部材１０及びハンマー部材１１がさらに回転すると、図３（ｃ）に示すように、押圧部４８の当接部４８ａが弾性フック部４７ａの下端のＲ部を下方から押圧することで、弾性変形部４７を左右方向に弾性変形させる。すなわち、レットオフ発生部４５は、押鍵操作に応じて伝達部材１０とハンマー部材１１との距離が所定の第１の距離を越え、弾性変形部４７と押圧部４８とが当接して弾性変形部４７が弾性変形する際に、伝達部材１０とハンマー部材１１との距離が離れる方向に対して反力を与える。このため、図５にＦ３で示すように、鍵荷重が急に重くなる。
【００５４】
そして、弾性フック部４７ａが押圧部４８の当接部４８ａを完全に下方に乗り越えると、図５にＦ４で示すように、鍵荷重が急激に軽くなる。これにより、伝達部材１０にクリック感が発生し、このクリック感によって鍵２に鍵荷重が急激に軽くなるレットオフ感が付与される。
【００５５】
この後、ハンマー部材１１がハンマー保持軸２７を中心にさらに回転すると、ハンマーアーム３０が上限ストッパ３７に下側から当接して、ハンマー部材１１の回転が規制されて停止される。このときには、図５にＦ５で示すように、鍵荷重が再び急激に重くなる。これにより、アコ―スティックピアノの鍵タッチ感に近似した鍵タッチ感が得られる。
【００５６】
そして、鍵２に対する押鍵操作が終了して、鍵２が初期位置に戻る離鍵動作（復帰動作）を開始する際には、図５にＦ６で示すように、鍵荷重が急激に軽くなり、レットオフ発生部４５の押圧部４８が弾性変形部４７の弾性フック部４７ａに上側から当接すると、図５にＦ７で示すように、鍵荷重が少し緩やかに低下する。つまり、レットオフ発生部４５は、離鍵動作に応じて伝達部材１０とハンマー部材１１との距離が第１の距離以下に戻り、弾性変形部４７と押圧部４８とが当接しなくなって弾性変形部４７の弾性変形が解除される際には、伝達部材１０とハンマー部材１１との距離が縮まる方向に対する反力を与えない。
【００５７】
この後、ハンマーアーム３０のスイッチ押圧部３９がスイッチ基板４０に設けられたゴムスイッチ４２の弾性復帰力によって押し下げられるので、図５にＦ８で示すように、鍵荷重がさらに緩やかに低下する。この状態から、ハンマー部材１１がハンマー保持軸２７を中心にさらに回転し、ハンマーアーム３０のスイッチ押圧部３９がスイッチ基板４０のゴムスイッチ４２から下側に離れ、伝達部材１０がその自重で鍵２の後部を押し下げると、図５にＦ９で示すように、鍵荷重が急に低下し、鍵２が初期位置に復帰する。
【００５８】
以上のように、本実施形態によれば、複数の鍵２の各々に対応して設けられたアクション機構３が、弾性変形部４７と押圧部４８を有するとともに、このうちの押圧部４８がハンマー部材１１に設けられたレットオフ発生部４５を備えている。そして、このレットオフ発生部４５は、ハンマー部材１１の動作に伴う弾性変形部４７と押圧部４８との当接により弾性変形部４７を弾性変形させることで、押鍵操作された鍵２にレットオフ感を付与する。
したがって、固定レールに設けた弾性部によりクリック感を発生させていた従来に比べ、より好適にレットオフ感を発生させることができる。
【００５９】
また、レットオフ発生部４５のうち、一方の押圧部４８がハンマー部材１１に設けられ、他方の弾性変形部４７が伝達部材１０に設けられている。
これにより、ハンマー部材１１と伝達部材１０との相対移動を利用して弾性変形部４７と押圧部４８とを好適に当接させることができ、より好適にレットオフ感を発生させることができる。
【００６０】
また、弾性変形部４７は、押圧部４８と当接する弾性フック部４７ａを先端に有し、この弾性フック部４７ａが、押圧部４８と当接する面のうち、当該押圧部４８が相対移動する上下方向の両端に、Ｒ部又は面取り部を有している。
そのため、弾性変形部４７を好適に弾性変形させることができる。また、弾性変形部４７と押圧部４８とが所定の設計位置から外れた場合でも、Ｒ部や面取り部によって互いにガイドされて、これらを設計位置に復帰しやすくすることができる。
【００６１】
なお、上述した第１の実施形態では、レットオフ発生部４５の弾性変形部４７が、伝達本体部２１の上面のうち厚さ方向（左右方向）の一端に設けられることとしたが、図６（ａ）〜（ｃ）に示すように、当該弾性変形部４７は、ハンマーアーム３０の押圧部４８を挟むように、この押圧部４８（ハンマー部材１１）の左右両側に設けられていてもよい。
これにより、弾性変形部４７に対する押圧部４８の相対移動をガイドすることができ、ひいては、伝達部材１０とハンマー部材１１との左右方向への相対的な横ぶれ振動を抑制して、これらの安定した動作を得ることができる。
【００６２】
また、弾性変形部４７が伝達部材１０に設けられ、押圧部４８がハンマー部材１１に設けられることとしたが、これら弾性変形部４７及び押圧部４８は、そのうちの一方がハンマー部材１１に設けられていればよい。
【００６３】
［第２の実施形態］
続いて、図７〜図９を参照して、本発明に本発明に係る鍵盤装置の第２の実施形態について説明する。
なお、第２の実施形態は、レットオフ発生部の構成が第１の実施形態と異なるものであるため、以下では、特に第１の実施形態と異なる点について説明する。
【００６４】
図７は、本実施形態における鍵盤装置１の断面図であり、図８は、本実施形態におけるレットオフ発生部５５の断面図であり、図９は、このレットオフ発生部５５の変形例を示す断面図である。
図７に示すように、本実施形態における鍵盤装置１は、上述した第１の実施形態におけるレットオフ発生部４５に代えて、レットオフ発生部５５を備えている。
【００６５】
レットオフ発生部５５は、第１の実施形態におけるレットオフ発生部４５とは、弾性変形部と押圧部とが設けられる部材や位置が反対になっている。
具体的に、レットオフ発生部５５は、ハンマー部材１１のハンマーアーム３０に設けられた弾性変形部５７と、伝達部材１０の伝達本体部２１に設けられて伝達部材１０及びハンマー部材１１の回転動作に伴って弾性変形部５７を弾性変形させる押圧部５８とを備えている。
【００６６】
このうち、弾性変形部５７は、図７及び図８（ａ）に示すように、ハンマーアーム３０の下部のうち、前端上部の連動取付部３０ｃよりもやや後側に、当該下部の傾斜に対して直交するように下方へ立設されている。また、弾性変形部５７は、左右方向に弾性変形可能な厚さでハンマーアーム３０に一体に形成されており、ハンマーアーム３０の下部のうち、当該ハンマーアーム３０の厚さ方向（左右方向）の一端（図８における左端）に設けられている。
この弾性変形部５７は、その先端（下端）に一体に形成された弾性フック部５７ａを有している。弾性フック部５７ａは、伝達部材１０の押圧部５８が当接する部分であり、ハンマーアーム３０の厚さ方向の内側向き（図８における右側向き）に突出した突起部である。この弾性フック部５７ａは、鍵２が押鍵操作されていない初期状態において、後述する伝達本体部２１の凹部５８ｂ内で当該伝達本体部２１と接触することなく、当該ハンマーアーム３０の左右方向に位置している。
弾性変形部５７のその他の点については、第１の実施形態における弾性変形部４７と同様に構成されている。
【００６７】
一方、押圧部５８は、伝達本体部２１のうち、前端上部の連動支持部２２ｄよりもやや後側の部分を上方に突出させた形状に形成されている。この押圧部５８のやや下方に位置する伝達本体部２１の側面には、凹部５８ｂが形成されている。この凹部５８ｂは、初期状態での弾性変形部５７の弾性フック部５７ａが接触しない程度の深さに形成されている。
押圧部５８のうち、凹部５８ｂよりも上側に位置する側部上端が、弾性変形部５７の弾性フック部５７ａと当接する当接部５８ａとなっている。
【００６８】
この押圧部５８は、図８（ａ）〜（ｃ）に示すように、伝達部材１０が伝達保持軸２０を中心に回転し、ハンマー部材１１がハンマー保持軸２７を中心に回転した際に、当接部５８ａが弾性フック部５７ａに当接して弾性変形部５７を弾性変形させるように構成されている。
すなわち、押圧部５８は、伝達部材１０及びハンマー部材１１が回転して当接部５８ａが弾性フック部５７ａの上端に当接すると、弾性変形部５７を伝達本体部２１の厚さ方向外側（図８における左側）に弾性変形させて、弾性フック部５７ａに当接部５８ａを乗り越えさせるように構成されている。
【００６９】
これにより、レットオフ発生部５５は、第１の実施形態におけるレットオフ発生部４５と同様に機能することができる。
したがって、以上の第２の実施形態によれば、上述した第１の実施形態と同様の効果を得ることができる。
【００７０】
なお、上述した第２の実施形態では、レットオフ発生部５５の弾性変形部５７が、ハンマーアーム３０の厚さ方向（左右方向）の一端に設けられることとしたが、図９（ａ）〜（ｃ）に示すように、当該弾性変形部５７は、上述した第１の実施形態と同様に、伝達本体部２１の押圧部５８を挟むように、この押圧部５８（伝達部材１０）の左右両側に設けられていてもよい。
これにより、弾性変形部５７に対する押圧部５８の相対移動をガイドすることができ、ひいては、伝達部材１０とハンマー部材１１との左右方向への相対的な横ぶれ振動を抑制して、これらの安定した動作を得ることができる。
【００７１】
［第３の実施形態］
続いて、図１０を参照して、本発明に本発明に係る鍵盤装置の第３の実施形態について説明する。
なお、第３の実施形態は、レットオフ発生部の構成が第１の実施形態と異なるものであるため、以下では、特に第１の実施形態と異なる点について説明する。
【００７２】
図１０（ａ）は、本実施形態における鍵盤装置１の断面図であり、図１０（ｂ）は、その変形例の断面図である。
図１０（ａ）に示すように、本実施形態における鍵盤装置１は、上述した第１の実施形態におけるレットオフ発生部４５に代えて、レットオフ発生部６５を備えている。
【００７３】
レットオフ発生部６５は、第１の実施形態におけるレットオフ発生部４５とは、特に弾性変形部の変形方向が左右方向ではなく前後方向である点で異なっている。
具体的に、レットオフ発生部６５は、伝達部材１０の伝達本体部２１に設けられた弾性変形部６７と、ハンマー部材１１のハンマーアーム３０に設けられて伝達部材１０及びハンマー部材１１の回転動作に伴って弾性変形部６７を弾性変形させる押圧部６８とを備えている。
【００７４】
このうち、弾性変形部６７は、伝達本体部２１の上面のうち、前端上部の連動支持部２２ｄよりもやや後側に、当該上面の傾斜に対して略直交するように上方へ立設されている。
この弾性変形部６７は、その先端（上端）に一体に形成された弾性フック部６７ａを有している。弾性フック部６７ａは、ハンマー部材１１の押圧部６８が当接する部分であり、前側に突出した突起部である。
弾性変形部６７のその他の点については、第１の実施形態における弾性変形部４７と同様に構成されている。
【００７５】
一方、押圧部６８は、ハンマーアーム３０のうち、前端上部の連動取付部３０ｃよりもやや後側の部分であって、初期状態において弾性変形部６７の直ぐ後側の部分を、下方に突出させた形状に形成されている。この押圧部６８のうち、後部下端の部分が、弾性変形部６７の弾性フック部６７ａと当接する当接部６８ａとなっている。
また、押圧部６８は、その左右方向の位置が弾性変形部６７と重なるように設けられるとともに、初期状態で弾性変形部６７と前後に対向している。
【００７６】
この押圧部６８は、伝達部材１０が伝達保持軸２０を中心に回転し、ハンマー部材１１がハンマー保持軸２７を中心に回転した際に、当接部６８ａが弾性フック部６７ａに当接して弾性変形部６７を弾性変形させるように構成されている。
すなわち、押圧部６８は、伝達部材１０及びハンマー部材１１が回転して当接部６８ａが弾性フック部６７ａの下端に当接すると、弾性変形部６７を後方に弾性変形させて、弾性フック部６７ａに当接部６８ａを乗り越えさせるように構成されている。
【００７７】
これにより、レットオフ発生部６５は、第１の実施形態におけるレットオフ発生部４５と同様に機能することができる。
したがって、以上の第２の実施形態によれば、上述した第１の実施形態と同様の効果を得ることができる。
【００７８】
なお、図１０（ｂ）に示すように、弾性変形部６７と押圧部６８との位置を反対に構成してもよい。すなわち、弾性変形部６７をハンマーアーム３０の下面に設けるとともに、押圧部６８を伝達本体部２１の上面に設け、これらが前後に対向するように構成してもよい。
このような構成によっても、上述した第１の実施形態と同様の効果を得ることができる。
【００７９】
［第４の実施形態］
続いて、図１１を参照して、本発明に本発明に係る鍵盤装置の第４の実施形態について説明する。
なお、第４の実施形態は、レットオフ発生部の構成が第３の実施形態と異なるものであるため、以下では、特に第３の実施形態と異なる点について説明する。
【００８０】
図１１は、本実施形態における鍵盤装置１の断面図であって、（ａ）が初期状態のものであり、（ｂ）が押鍵操作された状態のものである。
図１１（ａ），（ｂ）に示すように、本実施形態における鍵盤装置１は、上述した第１の実施形態におけるレットオフ発生部４５に代えて、レットオフ発生部７５を備えている。
【００８１】
レットオフ発生部７５は、第１の実施形態におけるレットオフ発生部４５とは、特に弾性変形部及び押圧部の位置の点で異なっている。
具体的に、レットオフ発生部７５は、ハンマー部材１１のハンマーアーム３０に設けられた弾性変形部７７と、基板支持レール４１に設けられて伝達部材１０及びハンマー部材１１の回転動作に伴って弾性変形部７７を弾性変形させる押圧部７８とを備えている。
【００８２】
このうち、弾性変形部７７は、ハンマーアーム３０の上面のうち、前端上部の連動取付部３０ｃよりもやや後側に、当該上面の傾斜に対して直交するように上方へ立設されている。
この弾性変形部７７は、その先端（上端）に一体に形成された弾性フック部７７ａを有している。弾性フック部７７ａは、押圧部７８が当接する部分であり、前側に突出した突起部である。
弾性変形部７７のその他の点については、第１の実施形態における弾性変形部４７と同様に構成されている。
【００８３】
一方、押圧部７８は、基板支持レール４１の後端に取り付けられている。この押圧部７８の下端には、後方に突出したフック状の当接部７８ａが設けられている。
【００８４】
この押圧部７８は、伝達部材１０が伝達保持軸２０を中心に回転し、ハンマー部材１１がハンマー保持軸２７を中心に回転した際に、当接部７８ａが弾性フック部７７ａに当接して弾性変形部７７を弾性変形させるように構成されている。
すなわち、押圧部７８は、伝達部材１０及びハンマー部材１１が回転して当接部７８ａが弾性フック部７７ａの上端に当接すると、弾性変形部７７を後方に弾性変形させて、弾性フック部７７ａに当接部７８ａを乗り越えさせるように構成されている。
【００８５】
これにより、レットオフ発生部７５は、第１の実施形態におけるレットオフ発生部４５と同様に機能することができる。
したがって、以上の第４の実施形態によれば、上述した第１の実施形態と同様の効果を得ることができる。
【００８６】
なお、上述した第１〜第４の実施形態では、弾性変形部が伝達部材１０又はハンマー部材１１に一体に形成されているものとしたが、当該弾性変形部は伝達部材１０又はハンマー部材１１と別体（別部材）であってもよい。
具体的には、例えば図１２（ａ）に示すように、第１の実施形態における弾性変形部４７を、伝達本体部２１の側面にねじ４９で取り付け可能な弾性変形部４７Ａとしてもよい。或いは図１２（ｂ）に示すように、第２の実施形態における弾性変形部５７を、ハンマーアーム３０の側面にねじ５９で取り付け可能な弾性変形部５７Ａとしてもよい。なお、弾性変形部の固定方法は、ねじ止めに限定されず、圧入、溶着、接着、両面テープなどを用いることができる。ただし、弾性変形部を着脱可能な固定方法であることが好ましい。
このように構成すれば、弾性変形部の材質として、伝達部材１０やハンマー部材１１の材質に依らず、レットオフ感を発生させるために適したものを選択することができる。弾性変形部の材質としては、ゴム、エラストマー、プラスチック又は金属などを使用することができる。
また、弾性変形部が繰り返し使用されて劣化した場合には、この弾性変形部のみを容易に交換することができるため、メンテナンス性を向上させることができる。
【００８７】
以上、本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
複数の鍵と、
前記複数の鍵の各々に対応して設けられたアクション機構と、
を備え、
前記アクション機構は、
前記鍵への押鍵操作に応じて動作する伝達部材と、
前記伝達部材の動作に応じて動作することにより、前記押鍵操作された鍵に荷重を付与するハンマー部材と、
弾性変形部及び第１当接部を有するとともに、このうちのいずれか一方が前記ハンマー部材に設けられ、前記ハンマー部材の動作に伴う前記第１当接部と前記弾性変形部との当接により前記弾性変形部を弾性変形させることで、前記押鍵操作された鍵にレットオフ感を付与するレットオフ発生部と、
を備えることを特徴とする鍵盤装置。
＜請求項２＞
前記弾性変形部及び前記第１当接部のうちの他方が前記伝達部材に設けられていることを特徴とする請求項１に記載の鍵盤装置。
＜請求項３＞
前記弾性変形部は、前記第１当接部に対し、前記ハンマー部材の動作方向と直交する方向に変位可能に設けられ、前記ハンマー部材の前記動作方向への移動を案内するように構成されていることを特徴とする請求項１又は請求項２に記載の鍵盤装置。
＜請求項４＞
前記弾性変形部は、前記第１当接部の両側を挟む位置に設けられ、前記弾性変形部に対する前記第１当接部の相対移動を案内するように構成されていることを特徴とする請求項１から請求項３のいずれか一項に記載の鍵盤装置。
＜請求項５＞
前記第１当接部は、前記第１当接部が設けられた前記ハンマー部材又は前記伝達部材の両側に設けられていることを特徴とする請求項４に記載の鍵盤装置。
＜請求項６＞
前記伝達部材は、第１の回転軸回りに回転可能に支持され、前記押鍵操作された鍵に押されることにより前記第１の回転軸を中心に回転し、
前記ハンマー部材は、第２の回転軸回りに回転可能に支持され、前記伝達部材の回転に伴って前記伝達部材に押されることにより前記第２の回転軸を中心に回転することを特徴とする請求項１から請求項５のいずれか一項に記載の鍵盤装置。
＜請求項７＞
前記弾性変形部は、前記弾性変形部が設けられる前記伝達部材又は前記ハンマー部材と一体に形成されていることを特徴とする請求項１から請求項６のいずれか一項に記載の鍵盤装置。
＜請求項８＞
前記弾性変形部は、前記弾性変形部が設けられる前記伝達部材又は前記ハンマー部材とは別部材であることを特徴とする請求項１から請求項６のいずれか一項に記載の鍵盤装置。
＜請求項９＞
前記弾性変形部は、前記第１当接部と当接する第２当接部を先端に有し、
前記第２当接部は、前記第１当接部と当接する面のうち、前記第１当接部が相対移動する方向の両端に、Ｒ部又は面取り部を有することを特徴とする請求項１から請求項８のいずれか一項に記載の鍵盤装置。
＜請求項１０＞
前記弾性変形部と前記第１当接部は、前記押鍵操作に応じて前記伝達部材と前記ハンマー部材との距離が離れていく部分にそれぞれ設けられ、前記伝達部材と前記ハンマー部材との距離が第１の距離以下のときは前記弾性変形部と前記第１当接部とが当接せず、前記伝達部材と前記ハンマー部材との距離が前記第１の距離を越えたときに前記弾性変形部と前記第１当接部とが当接することを特徴とする請求項１から請求項９のいずれか一項に記載の鍵盤装置。
＜請求項１１＞
前記レットオフ発生部は、
前記押鍵操作に応じて前記伝達部材と前記ハンマー部材との距離が前記第１の距離を越え、前記弾性変形部と前記第１当接部とが当接して前記弾性変形部が弾性変形する際に、前記伝達部材と前記ハンマー部材との距離が離れる方向に対して反力を与え、
その後の離鍵動作に応じて前記伝達部材と前記ハンマー部材との距離が前記第１の距離以下に戻り、前記弾性変形部と前記第１当接部とが当接しなくなって前記弾性変形部の弾性変形が解除される際には、前記伝達部材と前記ハンマー部材との距離が縮まる方向に対する反力を与えないことを特徴とする請求項１０に記載の鍵盤装置。
【符号の説明】
【００８８】
１        鍵盤装置
２        鍵
３        アクション機構
１０      伝達部材
１１      ハンマー部材
２０      伝達保持軸
２１      伝達本体部
２７      ハンマー保持軸
３０      ハンマーアーム
４５、５５、６５、７５  レットオフ発生部
４７、４７Ａ、５７、５７Ａ、６７、７７  弾性変形部
４７ａ、５７ａ、６７ａ、７７ａ  弾性フック部
４８、５８、６８、７８  押圧部
４８ａ、５８ａ、６８ａ、７８ａ  当接部
【図１】
2019020453.tif 000003
【図２】
2019020453.tif 000004
【図３】
2019020453.tif 000005
【図４】
2019020453.tif 000006
【図５】
2019020453.tif 000007
【図６】
2019020453.tif 000008
【図７】
2019020453.tif 000009
【図８】
2019020453.tif 000010
【図９】
2019020453.tif 000011
【図１０】
2019020453.tif 000012
【図１１】
2019020453.tif 000013
【図１２】
2019020453.tif 000014